(57)【特許請求の範囲】
【請求項１】
ケースと、
第１の表面と第２の表面を持つ組立部品と、
第１の表面を覆う第１の部分と、第２の表面の一部を覆う第２の部分を有する革とを備え、
前記組立部品は前記第２の表面によって覆うように設置され且つ前記ケース内にロックし、前記ケースは、前記第２の部分を圧迫し、前記組立部品の前記第２の表面と前記ケースに前記革の前記第２の部分を挟ませていることを特徴とするマウス構造。
【請求項２】
前記組立部品は、ロック部材、歯止め部分、または接着剤によってはめ込まれて前記ケース内にロックする請求項１記載のマウス構造。
【請求項３】
前記革は、天然革または合成革を用いて製造される請求項１記載のマウス構造。
【請求項４】
前記革は、前記組立部品に接着される請求項１記載のマウス構造。
【発明の詳細な説明】
【技術分野】
【０００１】
本発明は、マンマシンインターフェース（ＭＭＩ）装置構造に関し、特にマウス構造に関する。
【背景技術】
【０００２】
この情報時代に、電気製品への人の依存度は日に日に高まってきている。その高い効率性と携帯性から、電気製品は、ノートブックコンピュータ、携帯電話、携帯情報端末、デジタル携帯音楽機器など、私たちの日常生活に不可欠なツールになった。私たちからの命令を電気製品に入力して電気製品内のシステムがその命令を実行するためには、ある形式のマンマシンインターフェースが必要とされる。現在、もっとも一般的に使用されているマンマシンインターフェース装置は、キーボード、マウス、タッチパッドなどの電子装置である。後述のように、マウス組み立て方法について詳細に説明する。
【０００３】
図１は、従来のマウスの概略図である。図１のマウス１００は、ケース１１０、革１２０、接着剤層１３０を含む。ケース１１０は、凹溝１１０ａを持ち、革は、接着剤層１３０を通してケース１１０の凹溝１１０ａの内部に付けられる。より具体的には、マウス１１０を組み立てる方法は、たとえば凹溝１１０ａにマッチする形などの、特定の形に生革を手直しして、それから、加工された革１２０をケース１１０の凹溝１１０ａの内部に直接接着することを含む。しかし、しばしばこのマウスを組み立てる過程で、革１２０の端の近辺で毛状になったり、または革１２０の端でめくれ上がったりする。このように、不適格なマウスの製造の率は、むしろ高い。
【０００４】
図２は、もう一つの従来のマウスの概略図である。図２のマウスは、ケース２１０、プラスチック部材２２０、革２３０と、プラスチック縁２４０を含む。プラスチック部材２２０とケース２１０は、一緒に組み立てられる。さらにまた、革２３０はプラスチック部材２２０に付けられ、プラスチック縁２４０は革２３０の端でめくれ上がることを防ぐように、プラスチック部材２２０と革２３０の端を囲う。より具体的には、生革を形成して整え、必要な形状で革２３０を得るようにする。それから、加工された革２３０は、プラスチック部材２２０に接着される。その後、インモールドデコレーション（ＩＭＤ）射出成形プロセスを実行することにより、革２３０とプラスチック部材２２０が、プラスチック縁２４０を形成する。最後に、プラスチック部材２２０とケース２１０を一緒に組み立て、マウス２００を完成される。
【発明の開示】
【発明が解決しようとする課題】
【０００５】
マウス２００の生産性は高いけれども、プラスチック部材２２０と革２３０の端は、ＩＭＤ射出成形プロセスにマッチするために特別なデザインを持つ必要がある。マウス２００が、プラスチック縁２４０と革２３０の間で色が一致することは困難なので、むしろ見た目を複雑にして、色を一致しないようにしている。さらに、ＩＭＤ射出成形プロセスを実行する必要があるので、革２３０は合成革の材料を使って製造したもののみとなる。さらに、成型プロセスにおいて革の端の接合を堅くすることは、難しい。
【０００６】
したがって、本発明の少なくとも１つの目的は、革の端のめくれ上がりを最小にすることができるマウス構造を提供することにある。
【０００７】
本発明のもう一つの目的は、本革を使って囲うことができるマウス構造を提供することにある。
【０００８】
本発明のさらにもう一つの目的は、ケースと組立部品を使って革を圧迫する、革で覆われるマウス構造を提供することにある。
【課題を解決するための手段】
【０００９】
以上の及び他の利点を達成するために、また発明の目的にかなうよう、ここで幅広く説明されるように、本発明はマウス構造を提供する。マウス構造は、ケース、組立部品、革の層を含む。ボディケースと組立部品は、一緒に組み立てられる。組立部品は、第１の表面と第２の表面を持つ。革の層は、第１の部分と第２の部分を有する。第１の部分は第１の表面を覆い、第２の部分は部分的に第２の表面を覆う。組立部品は、第２の表面によって覆うように設置され且つケース内にロックする。ケースは、第２の部分を圧迫し、組立部品の第２の表面とケースに革の前記第２の部分を挟ませている。
【００１０】
本発明の１つの実施例では、組立部品は、ロック部材、歯止め部分、または接着剤によってはめ込まれてケース内にロックする。
【００１１】
本発明の１つの実施例では、革は天然革または合成革とすることができる。
【００１２】
本発明の１つの実施例では、革は組立部品に接着される。
【発明の効果】
【００１３】
以上のように本発明では、革は、組立部品の第１の表面に配置され、組立部品の端に入る。したがって、革の端は、マウスの美的な外観を損なうめくれ上がりを防ぐ。
【００１４】
前述の一般的な説明と以下の詳細な説明は、あくまで例であり、特許を請求する発明の説明は、さらに備えることを意図している。
【００１５】
添付の図面は本発明の更なる理解をすすめるために含まれ、この明細書の一部を構成する。図面は、発明の実施例を説明するものであり、記述と共に、発明の原則を説明するものである。
【発明を実施するための最良の形態】
【００１６】
ここで、本発明にかかる本実施形態について詳細に参照する。そして、本発明の例は添付の図面の中で説明する。可能な限り、同一の参照番号を図面と説明で使用し、同一または同様の部分を参照する。
【００１７】
図３は、本発明の１つの実施例によるマウス構造の概略図である。図３で示すように、本実施形態のマウス構造３００は、ケース３１０、組立部品３２０と、革３３０を含む。組立部品３２０とケース３１０は、一緒に組み立てられる。組立部品３２０は、第１の表面の３２０ａ、第２の表面の３２０ｂと側面３２０ｃを持つ。側面３２０ｃは、第１の表面の３２０ａと第２の表面の３２０ｂにつながる。組立部品３２０が多角形であるとき、多くの数の側面３２０ｃを有する。さらにまた、組立部品３２０はプラスチックを使って製作することができる。さらに、組立部品３２０は押しボタンとすることができる。
【００１８】
革３３０は、第１の部分３３０ａと第２の部分３３０ｂを持つ。第１の部分３３０ａは第１の表面の３２０ａを覆う。第２の部分３３０ｂは第２の表面の３２０ｂの一部を覆う。第２の表面の３２０ｂは、ケース３１０の内部に位置する。さらに、ケース３１０は第２の部分３３０ｂの一部に押しつけられる。言い換えると、革３３０は第１の表面の３２０ａ、側面３２０ｃと第２の表面の３２０ｂの一部を囲む。本実施形態において、革３３０は天然革または合成革とすることができる。さらに、革３３０は表面のパターンを持つようにすることができる。
【００１９】
組み立てプロセスでは、革３３０を組立部品３２０の第１の表面の３２０ａに接着することができる。その後、革３３０の端は、ひっくり返して、組立部品３２０の底、つまり第２の表面の３２０ｂに接着される。このように、革３３０は組立部品３２０の端、つまり側面３２０ｃを囲うことができる。最後に、革３３０をもつ組立部品３２０は、ロック部材、歯止め部分、接着剤の使用、または他の適当な手段によって、ケース３１０にはめ込まれる。革３３０の端が組立部品３２０の底に巻き込み、革３３０がケース３１０と組立部品３２０につかまれるので、革３３０は緩みにくくなり、その結果中に巻き込まれることになる。
【００２０】
さらに、革３３０はある程度のばすこと可能である。したがって、第１の表面の３２０ａは平面または曲面とすることができ、革３３０とケース３１０間の隙間を減らすことができる。言い換えると、マウス構造３００は、より魅力的な外観を持つことができる。
【００２１】
マウス構造３００の再加工が必要な場合、革３３０を組立部品３２０から簡単に取り出すことができ、革３３０は再び取り付けることができる。言い換えると、組立部品３２０の再加工で損傷することがなくなり、それにより再加工のコストをかなり下げることができる。さらに、組立部品３２０は一般的な部品である。それゆえに、単に革の上で革のタイプまたはパターンを変えることによって、様々な製品を得ることができる。
【００２２】
本発明を好ましい実施例によって上述のように説明したが、こうした説明は本発明の限定を目的としたものではない。この技術をよく理解するものであれば、本発明の範囲および考え方から逸脱しない中で、いくらかの修正と変更をすることができる。したがって、本発明の保護している範囲は、添付の特許請求の範囲とその均等の範囲内となる。
【図面の簡単な説明】
【００２３】
【図１】従来のマウスの概略図である。
【図２】もう一つの従来のマウスの概略図である。
【図３】本発明の１つの実施例によるマウス構造の概略図である。
【符号の説明】
【００２４】
３００    マウス構造
３１０    ケース
３２０    組立部品
３２０ａ    第１の表面
３２０ｂ    第２の表面
３２０ｃ    側面
３３０    革
３３０ａ    第１の部分
３３０ｂ    第２の部分
【図１】
0004361939.tif 000002
【図２】
0004361939.tif 000003
【図３】
0004361939.tif 000004